(57)【要約】      （修正有）【課題】  フォークリフトを利用して移動するパレットを物品を積載したままの状態でクレーンによる揚重作業を行える状態に容易にでき、また、パレットに物品を積載した状態で該パレットより取り外せるクレーン用荷役運搬用具を提供する。【解決手段】  フォークリフトのフォークの差込み口を有する方形のパレット１を取り囲んで自立状態で配置させる方形筒状の囲い枠２と、この囲い枠２の相対する側壁２ａ，２ａ間に前記差込み口を通じて組付け自在に掛け渡すパレット用受支材３とを備える。【選択図】図２
2007290773.tif 000002
【特許請求の範囲】
【請求項１】
フォークリフトのフォークの差込み口を有する方形のパレットを取り囲んで自立状態で配置させる方形筒状の囲い枠と、この囲い枠の相対する側壁間に前記差込み口を通じて組付け自在に掛け渡すパレット用受支材を備えた、クレーン用荷役運搬用具。
【請求項２】
上、下板と該上、下板間に介在するけたとで成るパレットを取り囲んで自立状態で配置させる方形筒状の囲い枠と、この囲い枠の相対する側壁間に、前記上下板間を通じて互いに並べてそれぞれ掛け渡すパレット用受支材および遮蔽材とを備えた、クレーン用荷役運搬用具。
【請求項３】
パレット用受支材に、フォークリフトのフォークを挿脱する筒体を設けた、請求項１又は２記載のクレーン用荷役運搬用具。
【発明の詳細な説明】
【技術分野】
【０００１】
本発明は、概し、クレーンによる揚重作業に際し、パレット（荷台）上に積載した物品のパレットの傾きによる脱落を防止するために、パレットと組合わせて用いるクレーン用荷役運搬用具に関するものである。
【背景技術】
【０００２】
パレット（荷台）上に積載した物品のパレット上からの脱落を防ぐ構造のものとしては、荷台上の積載物を取り囲む囲い枠をパレットと一体にした構造のもの（例えば、特許文献１、２）や囲い枠にパレットを嵌め込む構造のもの（例えば、特許文献３）がある。
【０００３】
【特許文献１】特開平１０−２５０７３１号公報
【特許文献２】特開平６−１２７５４８号公報
【特許文献３】実公昭５７−２８７５８号公報
【発明の開示】
【発明が解決しようとする課題】
【０００４】
従来例中、パレットと囲い枠を一体化した構造のものは、短い距離をフォークリフトで移動するとき等のように単にパレット（所謂平形パレットとして）のみの利用で支障なく物品移動が行われる場合は、囲い枠は無用で、荷降しに際して反って邪魔になるという欠点があり、囲い枠にパレットを嵌め込む構造のものは、対パレットとの関係で囲い枠が荷重を受ける構成を採らないので、クレーンによる揚重に際してはクレーンのフックをパレット側に掛止する必要があり、従って、使用上の煩雑さがある。
【０００５】
本発明は、従来例の斯様な欠点に着目し、フォークリフトを利用して移動するパレット（平形）を、物品を積載したままの状態でクレーンによる揚重作業を行える状態に容易にでき、また、パレットに物品を積載した状態で本運搬用具を取り外せる、クレーン用荷役運搬用具を提供することを目的として創案したものである。
【課題を解決するための手段】
【０００６】
フォークリフトのフォークの差込み口を有する方形のパレットを取り囲んで自立状態で配置させる方形筒状の囲い枠と、この囲い枠の相対する側壁間に前記差込み口を通じて組付け自在に掛け渡すパレット用受支材を備えた構成としたことを基本的手段とする。
【０００７】
そして、所謂木製パレットのように、上、下板と該上、下板間に介在するけたとで成るパレットで構成する場合は、前記パレット用受支材に並べて遮蔽材を上、下板間に配すると、上板上の物品の荷崩れにより上板間の隙間を通じての小物物品落下を遮蔽材の存在によりその隙間を狭小にして可及的にこれを防ぎ、落下を原因とする事故の発生を未然に防ぐことができ、従って、既存構造の所謂木製パレットを利用するに支障がない。
【０００８】
なおまた、パレット用受支材にフォークリフトのフォークを挿脱する筒体を設けておけば、クレーンによる揚重作業場へと、クレーンによる揚重作業を行える状態のままフォークリフトによる移動を行うことができる。
【発明の効果】
【０００９】
本発明によれば、クレーンによる揚重作業中のパレットからの物品の落下飛散を、囲い枠の存在により確実に防ぐことができることは勿論、受支材の適用によりパレット上に物品を積載した状態のままパレットと囲い枠の組付け、分離を自在に行え、従って、既存のパレットを用いた揚重作業やフォークリフトによる移動作業或いはパレットに対する荷降し、荷揚げ作業を円滑にでき、荷役運搬用具として実用上優れた製品を提供できる。
【実施例】
【００１０】
図面は本発明に係るクレーン用荷役運搬用具の一実施例を示し図１は囲い枠と受支材を互いに組合わせた状態の背面図、図２は各材を互いに組合わせた状態の一部欠截拡大背面図、図３は図２の底面図である。
【００１１】
実施例のクレーン用荷役運搬用具は、方形のパレット１を取り囲んで自立状態（床面上で）で配置させる囲い枠２と、該囲い枠２の相対する側壁２ａ，２ａ（形鋼で構成した枠体と該枠体に張設した多孔シートで成るが、その構成は問わない）間に前記パレット１を通じて掛け渡して配置する受支材３で構成する。なお、実施例の場合、パレット１を所謂木製パレット（上板１ａと下板１ｂとの間にけた１ｃを介在させて構成した）とし（木製パレットを利用する場合）、前記受支材３と並べて受支材３と同様に前記側壁２ａ，２ａ間に前記パレット（木製）１を通じて掛け渡して配置する遮蔽材４（多孔板より成る主体板４ａの長手方向に沿う両側に脚片４ｂを相対設して構成する）を用い、パレット１の上板１ａ，１ａ間からの、荷崩れによる小物物品の落下を防ぐようにしているが、フォークリフトのフォークの挿通口を側面に設けた所謂樹脂パレットに適用しても良く、この場合は、木製パレットのように上板１ａ，１ａ間の隙間を備えていないので前記遮蔽材の使用は省略することとなる。
【００１２】
囲い枠２は、枠体に金網（金属板のようなシート体でも良い）を張設して構成した、相対する一対二組の側壁２ａ，２ａ、２ｂ，２ｂで成る方形筒体で成り、相対する一対の側壁２ａ，２ａの上端にクレーンのフックの掛止用として利用する掛止リング７を設け、下端には、他の一対の相対する側壁２ｂ，２ｂより下方に突出させて一対の組付け口６，６と遮蔽材４の支持口８を設け、支持口８は前記組付け口６を介在させるように配置して該組付け口６と共に囲い枠２の台座を成し、前記側壁２ａを構成する枠体の下面に溝形状の支持部片８ａ，８ａを相対設して構成したもので、前記の組付け口６は、同じく枠体の下面にコの字状の受部片６ａを設けて構成したものである。
【００１３】
受支材３は、中央杆３ａの両側にフォークリフトのフォーク間幅にして、しかも、前記側壁２ａ，２ａ（組付け口６，６）間に側杆３ｂ，３ｂを相対設して構成し、側杆３ｂをほぼ方形状の前記組付け口６を嵌挿する内径の方形筒体で構成し、その自由端側を開口し、該自由端から前記フォークを差し込めるようにしてある。
【００１４】
なお、受支材３の中央杆３ａの上面に透孔１０を設け、受支材３を組付け口６を通じてパレット１と囲い枠２に組付けたとき、この透孔１０が囲い枠２の一方の側壁２ａに設けた受筒１１と一致するようにし、受筒１１と透孔１０に受筒１１に掛止するようにして施錠杆１２に係合する（フランス落とし式に）ことにより受支材３の囲い枠２からの離脱を防ぐようにしてある。
【００１５】
図示、１３は受支材３の把手、１４は遮蔽材４の把手である。
【００１６】
しかして、パレット１上に物品を積載した状態のもの（パレット１の上、下板１ａ，１ｂ間の挿通口にフォークを差し込むことによって物品の移動を行える状態にある）を取り囲むようにして囲い枠２を自立状態にして配置し、受支材３の側杆３ｂ，３ｂのそれぞれを、該囲い枠２の、一対の相対する側壁２ａ，２ａの一方の側壁２ａに設けた組付け口６を通じてパレット１の上、下板１ａ，１ｂ間の前記挿通口を経て、他の一方の側壁２ａの組付け口６に係合させると、物品を積載したパレット１とこれを取り囲むようにして配置した囲い枠２は、受支材３を介して互いに組付けられた状態となり、さらに、一方の側壁２ａ側の支持口８側からパレット１の上、下板１ａ，１ｂ間を通じて遮蔽材４を、他の一方の側壁２ｂ側の支持口８に挿通させて当該遮蔽材４を支持部片８ａ，８ａに受支させる状態にして、掛止リング７を利用してクレーンで揚重させると、受支材３に物品を含めたパレット１側の荷重が負荷され、これを囲い枠２（側壁２ａ）が受けることになるから、揚重作業は安定的に行えることになる。なお、囲い枠２の上端には、例えば、相対する側壁間に跨るように棒杆状の補強部材を掛け渡してもよい。そして、荷崩れを起こして物品がパレット１に散乱しても、パレット上板１ａの下側に遮蔽材４があるので（パレット上板１ａ，１ａ間に生じる隙間ａを可及的に狭小にして）、当該物品（小物）のパレット１からの落下を防ぎ、落下を原因とする事故を未然に防ぐことができる。
【００１７】
また、実施例では、受支材３の側杆３ｂを自由端を開口した方形筒体で構成してあるので、該受支材３によって囲い枠２に組付けた状態のパレット１を、この側杆３ｂにフォークを嵌挿することによってフォークリフトでの移動が行えるのである。
【００１８】
いずれにしろ、物品移動後は、受支材３を離脱させることによってパレット１側と囲い枠２側は互いに自由状態となるので、囲い枠２を取り除いてパレット１上の物品の荷降し作業を簡単に行える状態を得られるのである。
【図面の簡単な説明】
【００１９】
【図１】囲い枠と受支材を互いに組合わせた状態の背面図。
【図２】各材を互いに組合わせた状態の一部欠截拡大背面図。
【図３】図２の底面図。
【符号の説明】
【００２０】
１      パレット
２      囲い枠
２ａ    側壁
３      受支材
４      遮蔽材
【図１】
2007290773.tif 000003
【図２】
2007290773.tif 000004
【図３】
2007290773.tif 000005